(57)【要約】【課題】既設のドア枠を再使用して改装する場合に、一定寸法及び形状の柱フレーム又は壁パネルで浴室ユニットの改装に対応でき、短い工事期間で改装できる浴室ユニット改装用のドア横パネルを提供する。【解決手段】壁面２１ａの一端にドア枠への取付面２１ｂ及び他端に接続面２１ｃを設けたパネル２１と、壁面２２ａの一端に前記パネル２１の接続面と接続される接続面２２ｂ及びこの接続面の端部に上記壁面と反対方向へのガイド面２２ｃを有し、他端にドア枠の外側に立設される柱フレームへの係止面２２ｄを設けた幅調整パネル２２とを備えて、パネル２１と幅調整パネル２２との接続面同士をねじ締めして、パネル２１の壁面２１ａと幅調整パネル２２の壁面２２ａとで形成される幅方向の寸法を調整できるようにしたドア横パネル２０。【選択図】  図４
2004156213.tif 000002
【特許請求の範囲】
【請求項１】
既設浴室ユニットのドア枠の横に立設され、壁面の一端に上記ドア枠への取付面及び他端にドア枠の外側に立設される柱フレームへの係止面を設けてなる浴室ユニット改装用のドア横パネル。
【請求項２】
取付面にドア枠取付け用のねじ挿通穴が設けられ、係止面に上記ねじ挿通穴よりも大径の作業用穴を設けてなる請求項１記載の浴室ユニット改装用のドア横パネル。
【請求項３】
既設浴室ユニットのドア枠の横に立設され、壁面の一端に上記ドア枠への取付面及び他端に接続面を設けたパネルと、壁面の一端に前記パネルの接続面と接続される接続面及びこの接続面の端部に上記壁面と反対方向へのガイド面を有し、他端に前記ドア枠の外側に立設される柱フレームへの係止面を設けた幅調整パネルとを備え、前記パネルと幅調整パネルとの接続面同士をねじ締めして、パネルの壁面と幅調整パネルの壁面とで形成される幅方向の寸法を調整する浴室ユニット改装用のドア横パネル。
【請求項４】
既設浴室ユニットのドア枠の横に立設され、壁面の一端に前記ドア枠への取付面を設けたパネルと、壁面の一端に前記ドア枠の外側に立設される柱フレームへの係止面を設けた幅調整パネルとを備え、前記パネルと幅調整パネルの壁面同士を重ね合わせパネル又は幅調整パネルのいずれか一方をスライドさせてねじ締め固定し、パネルの壁面と幅調整パネルの壁面とで形成される幅方向の寸法を調整する浴室ユニット改装用のドア横パネル。
【請求項５】
既設浴室ユニットのドア枠の横に立設され、壁面の一端に上記ドア枠への取付面及び他端に接続面を設けた複数のパネルの接続面同士を接続して、複数のパネルの壁面で形成される幅方向の寸法を調整する浴室ユニット改装用のドア横パネル。
【発明の詳細な説明】
【０００１】
【発明の属する技術分野】
本発明は、マンションや一般住宅などに既に設置されている既設の浴室ユニットを改装する際に好適に使用できる浴室ユニット改装用のドア横パネルに関する。
【０００２】
【従来の技術】
マンション、一般住宅などにユニット工法で設置される浴室ユニットは、図１１乃至図１３、又は図１４乃至図１６に例示するように、浴室内にＦＲＰ（繊維強化樹脂）製などの防水パン６を設置し、その防水パン６の外周に設けられた水切り部６ａに図１１に示すように略四角柱の柱フレーム２ａ、２ｂを、又は図１４及び図１６に示す平面視コ字形の柱フレーム２ａを取り付けて、図１１及び図１２に示すように浴室壁面の１面において少なくとも二つに分割された壁パネル４ａ、４ａを柱フレーム２ａ、２ｂの側面または前面に立設して図１３に示すように壁パネル４ａ、４ａ同士の隙間に固定具３を挿入し、固定具３を柱フレーム２ａ、２ｂにねじ８にて固定し、さらに固定具３のねじ固定部にゴム又はプラスチック製の目地５ａ、５ｂを挿入して浴室外部への漏水を防ぐ構造や、あるいは図１４及び図１５に示すように浴室壁面の１面において少なくとも二つに分割された壁パネル４ａを柱フレーム２ａに挿入してねじ８で固定し、壁パネル４ａ、４ａ同士の隙間にゴム又はプラスチック製の目地５ａを挿入して壁パネル４ａを固定する構造が採られている。
また、図１２に示すように天井パネル７は柱フレーム２ａ、２ｂ上部にビス固定し、天井パネル７と壁パネル４ａとの隙間にゴム又はプラスチック製の目地５ｃを挿入固定して、浴室ユニット１４を完成させている（例えば、特許文献１及び特許文献２参照）。
【０００３】
一方、浴室ユニット１４のドア９は、図１３に示すように浴室のコーナーの柱フレーム２ａに略直角に立設したドア９のドア枠１０と壁パネル４ａとの隙間に固定具３を挿入し、ねじ８にて柱フレーム２ａに固定し、固定具３のねじ固定部にゴム又はプラスチック製の目地５ａを挿入し、さらにドア枠１０と柱フレーム２ａとをねじ１１ａにて固定する方法、又、図１６に示すようにドア９を浴室のコーナーより少し離れた位置に設けた場合には、ドア枠１０の両側に柱フレーム２ａ，２ａを設置し、柱フレーム２ａ，２ａに壁パネル４ａを挿入してねじ８にて固定し、柱フレーム２ａと壁パネル４ａとの隙間にゴム又はプラスチック製の目地５ａを挿入して固定する方法としている。
【０００４】
【特許文献１】
特開平１１−２７０１６３公報（第１−３頁、図３）
【特許文献２】
特開２０００−２３０３３７公報（第１−３頁、図２、図５）
【０００５】
上記のような浴室ユニットを長年使用すると、室内の高温多湿が誘因となって床面や壁面及び天井面に除去困難な黒かびなどが発生して外観不良やかび臭などの問題や壁パネル及び天井パネルが鋼板製のものであると錆びなどの問題が発生するため浴室ユニットの改修が行われるが、この改修作業は、先ず水道やガスの元栓を止め、浴室内の湯水栓、ガス栓、換気扇などの末端機器を外し、排水口、ドア、額縁などを外し、壁パネル、天井パネルを外し、柱フレームを外して、防水パンを撤去した後、再び、新規の防水パンを設置して、柱フレームを取り付け、天井パネル及び壁パネルを取り付け、ドア、額縁を取り付け、浴室ユニットを復元させる方法が採られるが、この方法では、作業が煩雑で改修に時間がかかり、その間（約３日間）は入浴できない不便さがあり、また、廃棄物も大量に発生するという問題があり、別の方法として、ＦＲＰ製の防水パンは錆の発生がなく、破損などがないことから、既設の防水パンの汚れを落して再使用し、また、同様にアルミ製アルマイト処理したドアやドア枠は錆の発生がなく破損が無い場合は汚れを落して再使用し、新規の柱フレーム、天井パネル、壁パネルを取り付けて、浴室ユニットを改装する方法が採られる。
【０００６】
しかし、この改修方法により現地での作業時間を短縮することができ、また、既設の防水パン、既設のドアやドア枠を再利用することから廃棄物も削減できるものの、再利用する既設のドア及びドア枠は製造元または製造時期によって形状が異なり、さらに、既設のドア枠の柱フレームへの取り付け構造が異なることから、既設のドア枠を取り付けできる構造にそのたびごとに柱フレームを成形しなければならず、その成形にかなりの時間を要するという問題を有していた。
また、既設のドアが浴室のコーナー部より離れた位置に設置されている場合には、ドア枠の両側に壁パネルを設置する必要があり、その壁パネルのサイズ（幅寸法）は一定ではなく、そのたびごとに、ドア枠両側の壁パネルのサイズに合うように壁パネルを成形しなければならず、その成形にも時間を要するという問題を有していた。
【０００７】
【発明が解決しようとする課題】
本発明は、主として既設のドア枠を再使用して改装する場合に、一定寸法及び形状の柱フレーム又は壁パネルで浴室ユニットの改装に対応でき、短い工事期間で改装できる浴室ユニット改装用のドア横パネルを提供しようとするものである。
【０００８】
【課題を解決するための手段】
本発明は、次のものに関する。
（１）既設浴室ユニットのドア枠の横に立設され、壁面の一端に上記ドア枠への取付面及び他端にドア枠の外側に立設される柱フレームへの係止面を設けてなる浴室ユニット改装用のドア横パネル。
（２）取付面にドア枠取付け用のねじ挿通穴が設けられ、係止面に上記ねじ挿通穴よりも大径の作業用穴を設けてなる上記（１）記載の浴室ユニット改装用のドア横パネル。
（３）既設浴室ユニットのドア枠の横に立設され、壁面の一端に上記ドア枠への取付面及び他端に接続面を設けたパネルと、壁面の一端に前記パネルの接続面と接続される接続面及びこの接続面の端部に上記壁面と反対方向へのガイド面を有し、他端に前記ドア枠の外側に立設される柱フレームへの係止面を設けた幅調整パネルとを備え、前記パネルと幅調整パネルとの接続面同士をねじ締めして、パネルの壁面と幅調整パネルの壁面とで形成される幅方向の寸法を調整する浴室ユニット改装用のドア横パネル。
（４）既設浴室ユニットのドア枠の横に立設され、壁面の一端に前記ドア枠への取付面を設けたパネルと、壁面の一端に前記ドア枠の外側に立設される柱フレームへの係止面を設けた幅調整パネルとを備え、前記パネルと幅調整パネルの壁面同士を重ね合わせパネル又は幅調整パネルのいずれか一方をスライドさせてねじ締め固定し、パネルの壁面と幅調整パネルの壁面とで形成される幅方向の寸法を調整する浴室ユニット改装用のドア横パネル。
（５）既設浴室ユニットのドア枠の横に立設され、壁面の一端に上記ドア枠への取付面及び他端に接続面を設けた複数のパネルの接続面同士を接続して、複数のパネルの壁面で形成される幅方向の寸法を調整する浴室ユニット改装用のドア横パネル。
【０００９】
【作用】
壁面の一端にドア枠への取付面及び他端にドア枠の外側に立設される柱フレームへの係止面を設けてなるドア横パネルは、ドア枠への取付面及び柱フレームへの係止面を備えており、ドア枠の両側に取り付けることによって、既設浴室ユニットと同形状の柱フレームを新規に形成することなく予め用意したもので柱フレームに納まりよく取り付けることができる。
【００１０】
壁面の一端にドア枠への取付面及び他端に接続面を設けたパネルと、壁面の一端に前記パネルの接続面と接続される接続面及びこの接続面の端部に壁面と反対方向へのガイド面を有し、他端にドア枠の外側に立設される柱フレームへの係止面を設けた幅調整パネルとを備えて、前記パネルと幅調整パネルとの接続面同士をねじ締めして、パネルの壁面と幅調整パネルの壁面とで形成される幅方向の寸法を調整するドア横パネル、又は、壁面の一端にドア枠への取付面を設けたパネルと、壁面の一端にドア枠の外側に立設される柱フレームへの係止面を設けた幅調整パネルとを備えて、前記パネルと幅調整パネルの壁面同士を重ね合わせパネル又は幅調整パネルのいずれか一方をスライドさせてねじ締め固定し、パネルの壁面と幅調整パネルの壁面とで形成される幅方向の寸法を調整するドア横パネルは、それぞれ壁面の幅方向の寸法を調整できるため、このドア横パネルをドア枠の両側に取り付けることによって、既設のドアが浴室のコーナー部よりずれた位置に設置されている浴室ユニットを改装する場合に、ドア枠両側に設置する壁パネルを採寸して新たに壁パネルを成形することなく予め用意したもので、柱フレームに既設のドア枠及び壁パネルを収まりよく取り付けることができる。
【００１１】
【発明の実施の形態】
本発明によるドア横パネルの材料としては、板厚０．８〜１．２ｍｍ程度の鋼板、アルミニウム、ステンレス鋼鈑などが用いられ、機械強度の優れた成形品が得られる材料が好ましく使用される。
【００１２】
本発明によるドア横パネルは、既設のドア枠にねじを用いてドア枠の両側に取り付けられる。
【００１３】
壁面の一端にドア枠への取付面及び他端にドア枠の外側に立設される柱フレームへの係止面を設けた単体のドア横パネルの壁面部分の幅方向寸法は２０〜１００ｍｍ程度に形成され、また、パネルと幅調整パネルとの二部品を組み合わせるドア横パネルの壁面部分の幅方向の寸法は、最小幅で５０ｍｍ、最大幅で１００ｍｍ程度とすることができるようにされる。
【００１４】
本発明によるドア横パネルと既設のドア枠との間には１〜５ｍｍ程度の厚さのスペーサーが介され、スペーサーは既設のドア枠及びドア横パネルの前面よりも３〜５ｍｍ程度凹んだ位置に設けて、その間にゴム製又はプラスチック製の目地やコーキング剤を挿入して浴室ユニット外部への漏水を防止する構造とされる。
【００１５】
【実施例】
以下、本発明による浴室ユニット改装用のドア横パネルの実施例を、図１乃至図１０を参照して説明する。
図１乃至図２は第１実施例を示し、図１（ａ）はドア横パネルの斜視図、図１（ｂ）はドア横パネルを既設のドア枠に取り付けた状態の斜視図、図２はドア横パネルを既設のドア枠と柱フレーム間に取り付けた状態の横断面図である。
図３乃至図６は第２実施例を示し、図３（ａ）はドア横パネルの斜視図、図１（ｂ）は図１（ａ）に示したドア横パネルの横断面図、図４（ａ）はドア横パネルの幅方向の寸法を広げた状態の斜視図、図４（ｂ）は図４（ａ）の横断面図、図５はドア横パネルを既設のドア枠に取り付けた状態の斜視図、図６はドア横パネルを既設のドア枠と柱フレーム間に取り付けた状態の横断面図である。
図７乃至図８は第３実施例を示し、図７（ａ）はドア横パネルの斜視図、図７（ｂ）は図７（ａ）の横断面図、図８（ａ）はドア横パネルの幅方向の寸法を広げた状態の斜視図、図８（ｂ）は図８（ａ）の横断面図である。
図９（ａ）はドア横パネルの他の実施例による斜視図、図９（ｂ）は図９（ａ）
の横断面図、図１０（ａ）及び図１０（ｂ）はその他の実施例による斜視図及び横断面図である。
【００１６】
（第１実施例）
図１（ａ）において、ステンレス鋼鈑製のドア横パネル１は、壁面１ａ、取付面１ｂ及び係止面１ｃとで断面コの字形に形成され、長手方向の端部はそれぞれ端面１ｄ，１ｄで閉塞した形状に形成され、取付面１ｂにはねじ挿通穴１ｅ、このねじ挿通穴１ｅと対向する係止面１ｃ部分には、ねじ挿通穴１ｅよりも大径としたねじ回しを差し込むための作業用穴１ｆが設けられる。
図１（ｂ）に示すように、上記のドア横パネル１はスペーサー１２を介して既設のドア枠１０にねじ１１にて取り付けられ、ドア横パネル１と既設のドア枠１０の間のスペーサー１２の前面にコーキング剤１３が挿入される。
図２に示すように、既設のドア枠１０に取り付けたドア横パネル１を新規の柱フレーム２に挿入し、既設のドア枠１０に対して略直角に立設している壁パネル４の柱フレーム２への挿入部との隙間には目地５を挿入し固定される。
【００１７】
（第２実施例）
図３（ａ）及び図３（ｂ）において、ドア横パネル２０は、壁面２１ａ、取付面２１ｂ及び接続面２１ｃとで断面コの字形に形成されたステンレス鋼鈑製のパネル２１と、壁面２２ａ、接続面２２ｂ、接続面２２ｂの端部から屈曲するガイド面２２ｃ、及び係止面２２ｄを有する形状の幅調整パネル２２とから構成され、
パネル２１の接続面２１ｃの内面側と幅調整パネル２２の接続面２２ｂの内面側にはそれぞれナット２３を溶接などにより予め固定されており、パネル２１の取付面２１ｂ及び接続面２１ｃの上に幅調整パネル２２のガイド面２２ｃを載せて、パネル２１の壁面２１ａと幅調整パネル２２の壁面２２ａとが略面一となるようにナット２３，２３にねじ２４を螺合して、パネル２１と幅調整パネル２２とを連結する。
従って、図４（ａ）及び図４（ｂ）に示すように、図４（ａ）に示す幅調整パネル２２の係止面２２ｄに設けた作業用穴２２ｅからねじ回しを差し込んでねじ２４の締め付け度合いによって、ドア横パネル２０としての幅方向の寸法Ｗ１を変更できるようにした。
上記で説明したドア横パネル２０を図５に示すように、スペーサー１２を介して既設のドア枠１０にパネル２１の取付面２１ｂをねじ１１で取り付け、ドア横パネル２０と既設のドア枠１０の間、スペーサー１２の前面にコーキング剤１３を挿入し、また、ドア横パネル２０を広げたときに生じる隙間に１２を挿入し、そのスペーサー１２の前面にコーキング剤１３を挿入して取り付けられる。
図６は、既設のドア枠１０の両側に取り付けたドア横パネル２０を新規の柱フレーム２及び２に挿入し、同様に壁パネル４の柱フレーム２又は２への挿入部との隙間に目地５を挿入して固定した状態を示す横断面図である。
【００１８】
（第３実施例）
図７（ａ）及び図７（ｂ）に示すように、壁面２６ａ及び取付面２６ｂを設けた断面Ｌ字形のパネル２６と、壁面２７ａ及び係止面２７ｂを設けた断面Ｌ字形の幅調整パネル２７とをねじ２４で連結した構成のドア横パネル２５として、図８（ａ）及び図８（ｂ）に示すように、ねじ２４の締め付け度合いによってドア横パネル２５としての幅方向の寸法Ｗ１が調整できるようにした。
【００１９】
（第４実施例）
図９（ａ）及び図９（ｂ）に示すように、壁面２９、取付面２９ｂ及び接続面２９ｃを設けた形状の複数個のパネル２９，２９の接続面２９ｃと２９ｃ同士をねじ１１により接続して、接続するパネル２９の数により幅寸法の調整ができるようにした。
上記のように複数のパネル２９同士を接続する場合は、図１０に示すように接続具３０を用いて接続するようにしてもよい。
【００２０】
【発明の効果】
以上説明したように、本発明による壁面の一端にドア枠への取付面及び他端にドア枠の外側に立設される柱フレームへの係止面を設けてなるドア横パネルによれば、既設のドア枠が取り付けできる形状に新規の柱フレームを成形することなく、予め用意した一定寸法及び形状の柱フレームで容易且つ短い工事期間で浴室ユニットを改装することができる。
【００２１】
また、パネルと幅調整パネルとの組み合わせによるドア横パネルによれば、既設のドア枠が浴室のコーナー部よりも離れて設置されている場合に、その都度新規にドア枠両側の壁パネルサイズに合う壁パネルを成形することなく、予め用意した一定寸法で一定形状の柱フレームや壁パネルで対応することができて、改装工事期間の短縮が計れる。
【図面の簡単な説明】
【図１】（ａ）は本発明の第１実施例によるドア横パネルの斜視図、（ｂ）はドア横パネルを既設のドア枠に取り付けた状態の斜視図である。
【図２】ドア横パネルを既設のドア枠に取り付け柱フレームに取り付けた状態の横断面図である。
【図３】（ａ）は本発明の第２実施例によるドア横パネルの斜視図、（ｂ）はドア横パネルの横断面図である。
【図４】（ａ）はドア横パネルの幅寸法を広げた状態の斜視図、（ｂ）は（ａ）の横断面図である。
【図５】ドア横パネルを既設のドア枠に取り付けた状態の斜視図である。
【図６】ドア横パネルを既設のドア枠と柱フレーム間に取り付けた状態の横断面図である。
【図７】（ａ）は本発明の第３実施例によるドア横パネルの斜視図、（ｂ）は（ａ）の横断面図である
【図８】（ａ）は本発明の第３実施例によるドア横パネルの幅方向の寸法を広げた状態の斜視図、（ｂ）は（ａ）の横断面図である。
【図９】（ａ）は本発明の第４実施例によるドア横パネルの斜視図、（ｂ）は（ａ）の横断面図である。
【図１０】（ａ）及び（ｂ）は図９と別実施例による斜視図及び横断面図である。
【図１１】ユニット工法で設置された浴室ユニットの水平断面図である。
【図１２】図１１の縦断面図である。
【図１３】従来における既設浴室ユニットのドア枠取付け状態を示す水平断面図である。
【図１４】ユニット工法で設置された浴室ユニットの水平断面図である。
【図１５】従来における浴室ユニットの柱フレーム部分の収まりを示す説明水平断面図である。
【図１６】図１５に示した浴室ユニットのドア枠廻りの収まりを示す水平断面図である。
【符号の説明】
１  ドア横パネル                        １ａ  壁面
１ｂ  取付面                              １ｃ  係止面
１ｄ  端面                                １ｅ  ねじ挿通穴
１ｆ  作業用穴                  ２，２ａ，２ｂ  柱フレーム
３  固定具                          ４，４ａ  壁パネル
５，５ａ，５ｂ，５ｃ，５ｄ  目地            ６  防水パン
６ａ  水切り部                            ６ｂ  立面
７  天井パネル                            ８  ねじ
９  ドア                                １０  ドア枠
１１，１１ａ  ねじ                        １２  スペーサー
１３  コーキング                          １４  浴室ユニット
２０  ドア横パネル                        ２１  パネル
２１ａ  壁面                              ２１ｂ  取付面
２１ｃ  接続面                              ２２  幅調整パネル
２２ａ  壁面                              ２２ｂ  接続面
２２ｃ  ガイド面                          ２２ｄ  係止面
２２ｅ  作業用穴                            ２３  ナット
２４  ねじ                                ２５  ドア横パネル
２６  パネル                            ２６ａ  壁面
２６ｂ  取付面                            ２６ｃ  ねじ挿通穴
２６ｄ  長穴                                ２７  幅調整パネル
２７ａ  壁面                              ２７ｂ  係止面
２８  ドア横パネル                        ２９  パネル
２９ａ  壁面                              ２９ｂ  取付面
２９ｃ  接続面                            ２９ｄ  ねじ挿通穴
２９ｅ  作業用穴                            ３０  接続具
【図１】
2004156213.tif 000003
【図２】
2004156213.tif 000004
【図３】
2004156213.tif 000005
【図４】
2004156213.tif 000006
【図５】
2004156213.tif 000007
【図６】
2004156213.tif 000008
【図７】
2004156213.tif 000009
【図８】
2004156213.tif 000010
【図９】
2004156213.tif 000011
【図１０】
2004156213.tif 000012
【図１１】
2004156213.tif 000013
【図１２】
2004156213.tif 000014
【図１３】
2004156213.tif 000015
【図１４】
2004156213.tif 000016
【図１５】
2004156213.tif 000017
【図１６】
2004156213.tif 000018